(57)【要約】【課題】衣類を吊るすまでの手間を省くことができるハンガーを提供すること。【解決手段】本発明に係るハンガー１０は、衣類を吊るすためのものである。支持部１２は、ハンガー１０を吊るすフック１１に連結される棒状のものである。本体部１３は、衣類を吊るすための一対の腕部１８を有し、支持部１２の長さ方向に移動可能である。当接部１４は、一対の腕部１８に当接することで、支持部１２の長さ方向の一方向に本体部１３が移動するに連れて腕部１８同士で形成される角度を大きくする。【選択図】図１
2014184045.tif 000002
【特許請求の範囲】
【請求項１】
衣類を吊るすためのハンガーであって、
ハンガーを吊るすフックに連結される棒状の支持部と、
前記衣類を吊るすための一対の腕部を有し、前記支持部の長さ方向に移動可能な本体部と、
前記一対の腕部に当接することで、前記支持部の長さ方向の一方向に前記本体部が移動するに連れて前記腕部同士で形成される角度を大きくする当接部と、
を備えるハンガー。
【請求項２】
前記本体部は、前記腕部同士で形成される角度を小さくする力を前記一対の腕部に加える加力部を備え、
前記一対の腕部は、前記加力部から加えられる力で前記当接部との当接を維持して、前記腕部同士で形成される角度を維持する維持部を備える、
請求項１に記載のハンガー。
【請求項３】
前記維持部は、前記一対の腕部に設けられた段差であり、前記加力部から加えられる力で前記当接部を前記段差に押し当てることで、前記当接部との当接を維持して、前記腕部同士で形成される角度を維持する、
請求項２に記載のハンガー。
【請求項４】
前記本体部は、前記支持部に挿通された環状のリング部を備え、
前記一対の腕部は、前記リング部の外周に接続されており、
前記当接部は、前記支持部に固定されており、
前記リング部が前記支持部の周方向に回転して、前記一対の腕部が前記支持部の周方向に回転すると、前記当接部の前記段差への押し当てが解除される、
請求項３に記載のハンガー。
【請求項５】
前記支持部は、前記支持部の長さ方向の他方向への本体部の所定以上の移動を規制する規制部を備える、
請求項４に記載のハンガー。
【発明の詳細な説明】
【技術分野】
【０００１】
本発明は、ハンガーに関する。
【背景技術】
【０００２】
例えば衣類を吊るすためのハンガーとして、特許文献１に記載のハンガーが知られている。
【０００３】
このハンガーは、両側に延びるように形成された一対の腕部と、腕部が延びる方向と平行に摺動して腕部の長さを調整する２つの腕部摺動部材と、を備えている。
【０００４】
ハンガーの使用者は、この２つの腕部摺動部材の位置を、衣類の例えば肩幅に合わせて調整することで、衣類の型崩れを防止した上で、ハンガーに衣類を吊るすことができる。
【先行技術文献】
【特許文献】
【０００５】
【特許文献１】特開２００５−４０５１６号公報
【発明の概要】
【発明が解決しようとする課題】
【０００６】
特許文献１に記載のハンガーでは、衣類の型崩れを防止しようとすると、前述の通り、２つの腕部摺動部材の位置を調整しなければならない。よって、ハンガーに衣類を吊るすまでに手間がかかるという問題点があった。
【０００７】
本発明は、上記実情に鑑みてなされたものであり、衣類を吊るすまでの手間を省くことができるハンガーを提供することを目的とする。
【課題を解決するための手段】
【０００８】
上記目的を達成するために、本発明に係るハンガーは、衣類を吊るすためのものである。支持部は、ハンガーを吊るすフックに連結される棒状のものである。本体部は、衣類を吊るすための一対の腕部を有し、支持部の長さ方向に移動可能である。当接部は、一対の腕部に当接することで、支持部の長さ方向の一方向に本体部が移動するに連れて腕部同士で形成される角度を大きくする。
【発明の効果】
【０００９】
本発明によれば、衣類を吊るすまでの手間を省くことができる。
【図面の簡単な説明】
【００１０】
【図１】本発明の実施の形態１に係るハンガーの構成を示す図である。
【図２】実施の形態１のハンガーの腕部を広げた状態の図である。
【図３】実施の形態１のハンガーの当接部の腕部への押し当てを解除した状態の図である。
【図４】本発明の実施の形態２に係るハンガーの構成を示す図である。
【図５】本発明の実施の形態３に係るハンガーの構成を示す図である。
【発明を実施するための形態】
【００１１】
以下、本発明の実施の形態１に係るハンガー１０を、図面を参照して説明する。
【００１２】
ハンガー１０は、例えば衣類を吊るすものである。ハンガー１０は、フック１１と、支持部１２と、本体部１３と、当接部１４と、規制部１９と、を備える。
【００１３】
フック１１は、ハンガー１０を例えば物干し棒に吊るすための部材である。支持部１２は、フック１１に連結される棒状の部材である。支持部１２は、フック１１と同じ素材（例えば、プラスチック）で作られている。
【００１４】
本体部１３は、加力部１５と、リング部１６と、段差部１７と、腕部１８と、を備える。加力部１５と、リング部１６と、段差部１７と、腕部１８とは、一本の弾性体（例えば、弾性金属または弾性プラスチック）で形成される。
【００１５】
本体部１３は、衣類を吊るすための一対の腕部１８を有する。一対の腕部１８には、腕部１８を折り曲げて形成された段差からなる段差部１７が設けられている。
【００１６】
また、本体部１３は、腕部１８同士で形成される角度を小さくする力を一対の腕部１８に加える加力部１５を有する。更に、本体部１３は、支持部１２に挿通された環状のリング部１６を有する。リング部１６の外周には、加力部１５が接続されており、加力部１５には、一対の腕部１８が接続されている。
【００１７】
このように、本体部１３の有するリング部１６が支持部１２に挿通されているので、本体部１３は、支持部１２の長さ方向に移動可能である。
【００１８】
支持部１２には、フック１１が配置されている側の方向に（支持部１２の長さ方向の他方向に）本体部１３が移動して、フック１１から本体部１３が外れないように、本体部１３の所定以上の移動を規制する平板状の規制部１９が固定されている。
【００１９】
また、支持部１２に固定されている当接部１４は、一対の腕部１８に当接する部材である。当接部１４は、フック１１と同じ素材（例えば、プラスチック）で作られている。
【００２０】
上述したハンガー１０の使用者は、例えば衣類を吊るすために、衣類の肩部を一対の腕部１８に当てて、当接部１４が配置されている側の方向に（支持部１２の長さ方向の一方向に）、本体部１３を移動させる。当接部１４は、前述の通り、一対の腕部１８と当接しているので、本体部１３が移動するに連れて、腕部１８同士で形成される角度を大きくする。これにより、ハンガー１０は、例えば、図２に示す状態になる。
【００２１】
このとき、一対の腕部１８に設けられている段差部１７は、加力部１５から加えられる力（腕部１８同士で形成される角度を小さくする力）で、当接部１４に設けられた溝部Ｌとの当接を維持して（段差部１７を溝部Ｌに押し当てて）、腕部１８同士で形成される角度を維持する。
【００２２】
また、腕部１８同士の広がりは、衣類の例えば肩幅で規制される。よって、例えば肩幅が狭い衣類の場合、図２に示すように加力部１５が配置されている側に形成された段差部１７ではなく、当接部１４が配置されている側に形成された段差部１７が、当接部１４に設けられた溝部Ｌとの当接を維持して、腕部１８同士で形成される角度を維持する。
【００２３】
上述のように、ハンガー１０は、本体部１３が移動するに連れて、腕部１８同士で形成される角度を大きくできるので、腕部１８同士で形成される角度を、衣類の例えば肩幅に合わせて調整できる。よって、ハンガー１０は、衣類を吊るす前に例えば部材の位置を決定する等の調整が不要であるので、衣類を吊るすまでの手間を省くことができる。
【００２４】
また、ハンガー１０は、腕部１８同士で形成される角度を、衣類の例えば肩幅に合わせて調整できるので、衣類の型崩れを防止した上で、衣類を吊るすことができる。
【００２５】
なお、ハンガー１０に吊るされた衣類が取り外され、ハンガー１０が使用されなくなった場合、ハンガー１０の使用者は、例えば加力部１５を持って、加力部１５を支持部１２の周方向に回転させる。
【００２６】
この回転で、リング部１６が支持部１２の周方向に回転して、一対の腕部１８が支持部１２の周方向に回転すると、当接部１４（溝部Ｌ）の段差部１７への押し当てが解除される。これにより、ハンガー１０は、例えば、図３に示す状態になる。
【００２７】
ハンガー１０は、当接部１４（溝部Ｌ）の段差部１７への押し当てが解除されると、加力部１５から加えられる力で、腕部１８同士で形成される角度を小さくする。よって、ハンガー１０が専有する収納スペースを、腕部同士で形成される角度が固定されたハンガーと比較して、小さくできる。
【００２８】
次に、本発明の実施の形態２に係るハンガー２０を、図４を参照して説明する。ハンガー２０は、実施の形態１のハンガー１０から、加力部１５を取り除いたものである。ハンガー２０のその他の構成は、実施の形態１のハンガー１０と同一である。
【００２９】
ハンガー２０は、前述の通り、加力部１５がない。しかし、リング部１６と、段差部１７と、腕部１８と、を備えるハンガー２０の本体部１３は、一本の弾性体（例えば、弾性金属または弾性プラスチック）で形成されている。
【００３０】
よって、弾性体の弾性力の働きで、本体部１３は、腕部１８同士で形成される角度を小さくする力を一対の腕部１８に加えることができる。
【００３１】
ハンガー２０の構成は、実施の形態１のハンガー１０に比べて、一対の腕部１８に加える力が弱くてもよい場合に、好適である。
【００３２】
次に、本発明の実施の形態３に係るハンガー３０を、図５を参照して説明する。ハンガー３０は、実施の形態２のハンガー２０に、コイル状のスプリング３１を設けたものである。ハンガー３０のその他の構成は、実施の形態２のハンガー２０と同一である。
【００３３】
ハンガー３０は、前述の通り、スプリング３１を有する。スプリング３１は、腕部１８同士で形成される角度が大きくなると、引っ張られた状態になる。よって、スプリング３１は、元の状態に戻ろうとする力の働きで、腕部１８同士で形成される角度を小さくする力を一対の腕部１８に加えることができる。
【００３４】
ハンガー３０の構成は、実施の形態２のハンガー２０で一対の腕部１８に加える力が足らない場合に好適である。
【符号の説明】
【００３５】
１０，２０，３０  ハンガー、１１  フック、１２  支持部、１３  本体部、１４  当接部、１５  加力部、１６  リング部、１７  段差部、１８  腕部、１９  規制部。
【図１】
2014184045.tif 000003
【図２】
2014184045.tif 000004
【図３】
2014184045.tif 000005
【図４】
2014184045.tif 000006
【図５】
2014184045.tif 000007